(57)【要約】【課題】本発明は、壁スイッチによって点灯状態が切り替わる機能を用いつつ人体検出機能を容易に付与することができる照明器具を提供する。【解決手段】本発明によれば、壁スイッチ６の所定時間内の操作で蛍光ランプ４およびベビー球５が消灯となった状態の時に人感検知部２を動作させるように制御ユニット７を設けた。これにより最適な条件で人体検出部２を動作させる機能を容易に得ることできる。【選択図】図１
2004362850.tif 000002
【特許請求の範囲】
【請求項１】
人体を検出する人体検出部と；
商用電源から電源が供給される点灯装置、この点灯装置からの電源供給によって点灯する主光源を有する照明器具本体と；
商用電源および点灯装置に接続されており、商用電源からの点灯装置への電源供給のＯＮ・ＯＦＦが可能である照明器具本体とは別置されている壁スイッチと；
人体検出部と点灯装置とに接続されているとともに、商用電源からの電源供給を壁スイッチの動作により所定時間遮断することで主光源の点灯状態を少なくとも点灯ないし消灯状態へ選択制御し、壁スイッチの所定時間の遮断によって主光源が消灯状態に切り替えられた場合には人体検出部が待機状態となるように制御する制御ユニットと；
を具備することを特徴とする照明器具。
【請求項２】
人体を検出する人体検出部と；
商用電源から電源が供給される点灯装置、この点灯装置からの電源供給によって点灯する主光源、商用電源からの電源が点灯装置を介さず供給されるように接続されている補助光源を有する照明器具本体と；
商用電源、点灯装置および補助光源に接続されており、商用電源からの点灯装置または補助光源への電源供給のＯＮ・ＯＦＦが可能である照明器具本体とは別置されている壁スイッチと；
人体検出部、点灯装置および補助光源とに接続されており、商用電源からの電源供給を壁スイッチの動作により所定時間遮断することで少なくとも主光源のみの点灯状態、補助光源のみの点灯状態、主光源および補助光源ともに消灯状態となるように選択制御し、壁スイッチの所定時間の遮断によって主光源および補助光源が消灯状態に切り替えられた場合には人体検出部が待機状態となるように制御する制御ユニットと；
を具備することを特徴とする照明器具。
【発明の詳細な説明】
【０００１】
【発明の属する技術分野】
本発明は、主光源を有する器具本体とセンサ等の人体検出手段とを有する照明器具に関する。
【０００２】
【従来の技術】
従来、主光源または主光源と補助光源とを有する照明器具において、照明器具本体とは別置されている壁スイッチ等を用い、商用電源からの照明器具への電源供給を所定時間遮断することで主光源や補助光源の点灯を選択的に制御する技術が知られている（例えば、特許文献１参照）。
【０００３】
この特許文献１記載の照明器具は、壁スイッチ等の電源開閉スイッチを通じて供給される商用電源を分岐して形成した主光源である蛍光灯用の第１の電源回路および補助灯用の第２の電源回路と、第１の電源回路に接続されて商用電源の周波数を発振により高周波変換するインバータと、インバータに接続される蛍光灯と第２の電源回路に接続される補助灯とを切換える切換えスイッチとを備えた照明装置において、蛍光灯と補助灯とを同時に消灯する動作を除き、電源開閉スイッチの所定時間の遮断により少なくとも蛍光灯のみの点灯と、前記補助灯のみの点灯とが順番に切換わるプログラムを有するというものである。
【０００４】
【特許文献１】
特許第３２１４６２２号公報（図１）
【０００５】
【発明が解決しようとする課題】
しかしながら、特許文献１記載のような照明器具は、センサなどの人体検出機能を付与しようとすると、人体検出機能設定用の特別な設定手段を設けるか、リモコン等の遠隔制御装置で特別に設定をする必要があり、容易に人感検知機能を付与することできないという課題がある。
【０００６】
すなわち、照明器具に用いられる人体検知機能は、主として人体検出部が人体を検出した場合に照明器具の光源を点灯するために設けられるものであるが、従来技術のような照明器具であっては主光源または主光源と補助光源とが消灯するのは壁スイッチが常に「ＯＦＦ」の状態である。要するに、このような状態は商用電源からの電源が照明器具に供給されていない状態となっていることなので、人体検出機能を従来の照明器具に単に設けただけでは消灯状態で人体検出機能を動作させることが大変困難となる虞がある。
【０００７】
本発明は上記に鑑みなされたものであり、壁スイッチによって点灯状態が切り替わる機能を用いつつ人体検出機能を容易に付与することができる照明器具を提供することを目的とする。
【０００８】
【課題を解決するための手段】
請求項１の照明器具は、人体を検出する人体検出部と；商用電源から電源が供給される点灯装置、この点灯装置からの電源供給によって点灯する主光源を有する照明器具本体と；商用電源および点灯装置に接続されており、商用電源からの点灯装置への電源供給のＯＮ・ＯＦＦが可能である照明器具本体とは別置されている壁スイッチと；人体検出部と点灯装置とに接続されているとともに、商用電源からの電源供給を壁スイッチの動作により所定時間遮断することで主光源の点灯状態を少なくとも点灯ないし消灯状態へ選択制御し、壁スイッチの所定時間の遮断によって主光源が消灯状態に切り替えられた場合には人体検出部が待機状態となるように制御する制御ユニットと；を具備することを特徴とする。
【０００９】
人体検出部は、人体を検出するとその検出信号を制御ユニットへ送るように設けられているものである。
【００１０】
本発明は、まず、壁スイッチのＯＮ・ＯＦＦ操作により所定時間商用電源からの電源を遮断することで主光源の点灯状態を点灯ないし消灯へ選択制御する。そして、主光源が消灯状態となったときには、人体検出部が待機状態となるように制御ユニットにより制御される。
【００１１】
本発明によれば、人体を検出する人体検出部と；商用電源から電源が供給される点灯装置、この点灯装置からの電源供給によって点灯する主光源を有する照明器具本体と；商用電源および点灯装置に接続されており、商用電源からの点灯装置への電源供給のＯＮ・ＯＦＦが可能である照明器具本体とは別置されている壁スイッチと；人体検出部と点灯装置とに接続されているとともに、商用電源からの電源供給を壁スイッチの動作により所定時間遮断することで主光源の点灯状態を少なくとも点灯ないし消灯状態へ選択制御し、壁スイッチの所定時間の遮断によって主光源が消灯状態に切り替えられた場合には人体検出部が待機状態となるように制御する制御ユニットと；を具備するので、適正な人体検出機能を容易に付与することができる。
【００１２】
請求項２の照明器具は、人体を検出する人体検出部と；商用電源から電源が供給される点灯装置、この点灯装置からの電源供給によって点灯する主光源、商用電源からの電源が点灯装置を介さず供給されるように接続されている補助光源を有する照明器具本体と；商用電源、点灯装置および補助光源に接続されており、商用電源からの点灯装置または補助光源への電源供給のＯＮ・ＯＦＦが可能である照明器具本体とは別置されている壁スイッチと；人体検出部、点灯装置および補助光源とに接続されており、商用電源からの電源供給を壁スイッチの動作により所定時間遮断することで少なくとも主光源のみの点灯状態、補助光源のみの点灯状態、主光源および補助光源ともに消灯状態となるように選択制御し、壁スイッチの所定時間の遮断によって主光源および補助光源が消灯状態に切り替えられた場合には人体検出部が待機状態となるように制御する制御ユニットと；を具備することを特徴とする。
【００１３】
本発明は、まず、壁スイッチのＯＮ・ＯＦＦ操作により所定時間商用電源からの電源を遮断することで主光源および補助光源の点灯状態を主光源のみ点灯状態、補助光源のみ点灯、主光源および補助光源ともに消灯状態へと選択制御する。そして、主光源および補助光源がともに消灯状態となったときには、人体検出部が待機状態となるように制御ユニットにより制御される。
【００１４】
本発明のよれば、人体を検出する人体検出部と；商用電源から電源が供給される点灯装置、この点灯装置からの電源供給によって点灯する主光源、商用電源からの電源が点灯装置を介さず供給されるように接続されている補助光源を有する照明器具本体と；商用電源、点灯装置および補助光源に接続されており、商用電源からの点灯装置または補助光源への電源供給のＯＮ・ＯＦＦが可能である照明器具本体とは別置されている壁スイッチと；人体検出部、点灯装置および補助光源とに接続されており、商用電源からの電源供給を壁スイッチの動作により所定時間遮断することで少なくとも主光源のみの点灯状態、補助光源のみの点灯状態、主光源および補助光源ともに消灯状態となるように選択制御し、壁スイッチの所定時間の遮断によって主光源および補助光源が消灯状態に切り替えられた場合には人体検出部が待機状態となるように制御する制御ユニットと；を具備するので、適正な人体検出機能を容易に付与することができる。
【００１５】
【発明の実施の形態】
本発明の一実施形態を図面を参照して説明する。図１は本実施形態の照明器具の基本回路構成と商用電源との接続を示す説明図、図２は本実施形態の壁スイッチを示す正面図、図３は本実施形態の照明器具の動作を示すブロック図、図４は本実施形態の照明器具の人感センサモードを示す説明図である。
【００１６】
本実施形態の照明器具１は、照明器具本体１０、人体検知部２、主光源である蛍光ランプ４、補助光源であるベビー球５を有している。そして、照明器具本体１０には点灯装置であるインバータ３、制御ユニット７が設けられている。さらに、照明器具本体１０は、商用電源８に壁スイッチ６を介して接続されている。
【００１７】
インバータ３は、商用電源８に壁スイッチ６を介して接続されている。そして、インバータ３は、商用電源からの電源を高周波に変換して蛍光灯４へ電源を供給するように構成されており、この構成は既知のものを適宜用いることができる。
【００１８】
蛍光ランプ４は、インバータ３からの電源が供給されるようにインバータ３に接続されている。この蛍光ランプ４は既知のものを用いることができるし、蛍光ランプ４以外に主光源として用いることができるものがあれば蛍光ランプ４に変えて主光源として用いることができる。なお、蛍光ランプ４に変わるものを主光源として用いる場合にはインバータ３も主光源に応じて適宜設けられることはいうまでもない。
【００１９】
ベビー球５は、商用電源８に壁スイッチ６を介し接続されている。そして、図１に示すように、ベビー球５の電源回路５１は、同じように商用電源８に壁スイッチ６を介し接続されているインバータ３、蛍光灯４の電源回路３１とは商用電源８とインバータ３との間で分岐するように設けられている。さらに、電源回路５１の一方側は制御ユニット７を介しており、この一方側に切替スイッチであるトライアックである切替スイッチ５２が設けられている。なお、ベビー球５以外に補助光源として用いることができるものがあればベビー球５に変えて補助光源と用いることができる。
【００２０】
壁スイッチ６は、照明器具１とは別置で設けられており、かつ、商用電源８に接続されているものである。そして、スイッチ部６１が接点６２に接続するように動作させることで商用電源８からの照明器具１への電源回路を閉成するように設けられている。
【００２１】
また図２に示すように、壁スイッチ６には「人感センサモード」が設定されていることを示す表示部６３が設けられている。
【００２２】
人体検出部２は、センサ２１が照明器具１に設けられているとともに、照明器具本体１０にはセンサ制御部２２が後述する制御ユニット７に設けれられているマイコン７１に接続されている。なお、人体検出部２は、照明器具１に直接設けられていてもよいし、照明器具１とは別置で設けられていてもよい。さらにまた、人体検出の方法は、熱線感知方式、赤外線反射方式、超音波方式等、人体を検出することができるように設けられるものであればいかなる方法でもよい。
【００２３】
制御ユニット７は、インバータ３、ベビー球５の電源回路５１の切替スイッチ５２、人体検知部２のセンサ２１と各々接続されている。
【００２４】
また制御ユニット７は、マイコン７１を内蔵しており、このマイコン７１のプログラムにより蛍光ランプ４およびベビー球５の点灯状態の切替動作等を行うように設定がされている。
【００２５】
すなわち、マイコン７１は、壁スイッチ６のスイッチ部６１のＯＮとなっていることが前提条件であって、そのＯＮの状態から「所定時間内」にスイッチ部６１をＯＦＦ（接点６２からスイッチ部６１を離間した状態）・ＯＮ（接点６２にスイッチ部６１を接続した状態）操作することによって蛍光ランプ４のみ点灯、ベビー球５のみ点灯、蛍光ランプ４およびベビー球５いずれとも消灯という順番に切り替えるようなプログラムがなされている。なお「所定時間」は、所定時間が短すぎると瞬時停電の場合に誤動作する虞があり、所定時間が長すぎると停電の場合に動作してしまう虞があるので、適正な範囲内で適宜設計されるものである。
【００２６】
ここで本実施形態の動作について図２、３、４を用いて説明する。
【００２７】
まず、壁スイッチ６のスイッチ部６１をＯＮ（すなわち閉成状態）にすると、制御ユニット７は、インバータ３を動作させる信号をインバーター３へ送出するとともに、切替スイッチ５２が開成状態で保持するように制御し、かつ、センサ２１が動作しないようにセンサ制御部２２を不動作とするように制御することで、照明器具１の蛍光ランプ４のみが点灯状態となる（図３の▲１▼）。
【００２８】
次に図２に示すように、スイッチ部６１をＯＮの状態から所定時間内にＯＦＦ→ＯＮというように作動すると、制御ユニット７は、インバータ３の動作を停止させる信号をインバーター３へ送出するとともに、切替スイッチ５２が閉成状態とするように制御し、かつ、センサ２１が動作しないようにセンサ制御部２２を不動作とするように制御することで、照明器具１のベビー球５のみが点灯状態となる（図３の▲２▼）。
【００２９】
さらに、この状態からスイッチ部６１をＯＮの状態から所定時間内にＯＦＦ→ＯＮというように作動すると、制御ユニット７は、インバータ３の動作は停止させたままであるとともに、切替スイッチ５２が開成状態となるように制御し、かつ、センサ２１が動作するようにセンサ制御部２２を動作状態とするように制御することで、人体検知部２が動作し（センサ２１が人体を検出可能である待機状態）、照明器具１およびベビー球５のいずれもが消灯状態、すなわち「人感センサモード」となり、壁スイッチ６の表示部６３が点灯する（図３の▲３▼及び図４の▲１▼）。
【００３０】
そして、さらにスイッチ部６１をＯＮの状態から所定時間内にＯＦＦ→ＯＮというように作動すると、制御ユニット７は、蛍光ランプ４のみが点灯するように制御し、以降は上記で説明したように照明器具１の制御がなされる。
【００３１】
なお、図４は人感センサモードとなった状態を示しており、図４の▲１▼は待機状態、図４の▲２▼は人体検知部２が人体を検知して蛍光ランプ４を全光点灯させた状態を示している。
【００３２】
本実施形態によれば、壁スイッチ６のスイッチ部６１のＯＮとなっている状態であって、そのＯＮの状態から「所定時間内」にスイッチ部６１をＯＦＦ・ＯＮ動作することによって蛍光ランプ４のみ点灯、ベビー球５のみ点灯、蛍光ランプ４およびベビー球５いずれとも消灯という順番に切り替えるようなプログラムを制御ユニット７に設定するとともに、この壁スイッチ６の所定時間内の操作で蛍光ランプ４およびベビー球５のいずれも消灯となった状態の時に人感検知部２を動作させるように制御ユニット７を設けたので、最適な条件で人体検出部２を動作させる機能を容易に得ることでき、特別に煩雑な手段を用いなくとも人感センサ機能付の照明器具１を得ることができる。
【００３３】
また、壁スイッチ６に表示部６３を設けたことにより、「人感センサモード」であるのか単に商用電源８からの電源が完全に照明器具１へ供給されていない通常の「電源ＯＦＦ状態」であるのかが判別しやすく使い勝手がよいものが得られる。
【００３４】
なお本実施形態において蛍光ランプ４は、全光点灯と消灯のみの点灯制御であるが、全光点灯と消灯との間に調光点灯を行うように点灯制御することも可能であり、このような場合には「蛍光ランプ４の点灯状態」には調光点灯が含まれることはいうまでもない。
【００３５】
【発明の効果】
請求項１の発明によれば、人体を検出する人体検出部と；商用電源から電源が供給される点灯装置、この点灯装置からの電源供給によって点灯する主光源を有する照明器具本体と；商用電源および点灯装置に接続されており、商用電源からの点灯装置への電源供給のＯＮ・ＯＦＦが可能である照明器具本体とは別置されている壁スイッチと；人体検出部と点灯装置とに接続されているとともに、商用電源からの電源供給を壁スイッチの動作により所定時間遮断することで主光源の点灯状態を少なくとも点灯ないし消灯状態へ選択制御し、壁スイッチの所定時間の遮断によって主光源が消灯状態に切り替えられた場合には人体検出部が待機状態となるように制御する制御ユニットと；を具備するので、適正な人体検出機能を容易に付与することができる。
【００３６】
請求項２の発明のよれば、人体を検出する人体検出部と；商用電源から電源が供給される点灯装置、この点灯装置からの電源供給によって点灯する主光源、商用電源からの電源が点灯装置を介さず供給されるように接続されている補助光源を有する照明器具本体と；商用電源、点灯装置および補助光源に接続されており、商用電源からの点灯装置または補助光源への電源供給のＯＮ・ＯＦＦが可能である照明器具本体とは別置されている壁スイッチと；人体検出部、点灯装置および補助光源とに接続されており、商用電源からの電源供給を壁スイッチの動作により所定時間遮断することで少なくとも主光源のみの点灯状態、補助光源のみの点灯状態、主光源および補助光源ともに消灯状態となるように選択制御し、壁スイッチの所定時間の遮断によって主光源および補助光源が消灯状態に切り替えられた場合には人体検出部が待機状態となるように制御する制御ユニットと；を具備するので、適正な人体検出機能を容易に付与することができる。
【図面の簡単な説明】
【図１】第一実施形態の照明器具の基本回路構成と商用電源との接続を示す説明図
【図２】同上本実施形態の壁スイッチを示す正面図
【図３】同上本実施形態の照明器具の動作を示すブロック図
【図４】同上本実施形態の照明器具の人感センサモードを示す説明図
【符号の説明】
１・・・照明器具、２・・・人体検出部、４・・・蛍光ランプ、５…補助灯であるベビー球、６…壁スイッチ、７…制御ユニット、１０・・・照明器具本体
【図１】
2004362850.tif 000003
【図２】
2004362850.tif 000004
【図３】
2004362850.tif 000005
【図４】
2004362850.tif 000006